(57)【要約】【課題】搭載植物により吸収される水中の富養分よりも植物の蓄積養分が水中に溶出する割合が大きくなる逆転現象を解消する植物搭載用筏体を提供する。【解決手段】水上に浮く浮体１０…と、この浮体に連結され、枠体２１をネットで取り囲んでなる箱状構造体２０とからなり、このネットで取り囲んだ箱状構造体の内部に充填される栽培床４０として、低温度焼成の容分解性セラミックを用い、また、浮体１０に吊環１３、箱状構造体２０に吊環２４を取りつけ、これらを連結桿３０によって容易に連結し、かつ、切り離せるようにした。これにより、栽培床内での植物による養分の蓄積を、容易かつ確実に、有機肥料として田畑へ戻して有効に活用することを可能にする。【選択図】　　　図１
2004016065.tif 000002
【特許請求の範囲】
【請求項１】
水上に植物栽培用の栽培床を提供する植物搭載用筏体であって、水の表面に浮く浮体部と、当該浮体部に連結され、かつ、その周囲をネットで取り囲んでなる箱状構造体とからなり、当該ネットで取り囲んだ箱状構造体の内部に充填される栽培床として、低温度焼成の容分解性セラミックを用いたことを特徴とする植物搭載用筏体。
【請求項２】
前記請求項１に記載した植物搭載用筏体であって、前記箱状構造体の一部には着脱可能な連結部材を設け、前記浮体部から切り離せるようにしたことを特徴とする植物搭載用筏体。
【請求項３】
前記請求項１に記載した植物搭載用筏体であって、前記箱状構造体は、当該浮体の底部に連結された肋骨状構造体上に載置されるようにしたことを特徴とする植物搭載用筏体。
【発明の詳細な説明】
【０００１】
【発明の属する技術分野】
本発明は、湖沼等の水面上に浮かべてその上に植物を栽培することの可能な植物搭載用筏体に関し、特に、その栽培床が改良され、かつ、浮体部から容易に切り離せるようにした植物搭載用筏体に関する。
【０００２】
【従来の技術】
近年、水質の汚染に伴って、上水道の水源となる湖沼やダムの富栄養化が世界的に進行しており、かかる富栄養化に対する有効な対策としては、植物を栽培することにより、確実に窒素や燐が吸収されることが、既に幾多の文献等によって知られている。
【０００３】
従来、かかる植物栽培用の筏としては、例えばドラム缶による浮力を利用してこの上に筏を固定し、その上に植物栽培用の箱等を固定してパピルスやケナフ等の植物を栽培することが行われており、また、大きな浮力を有する材料として、発泡スチロールを利用するものがあった。しかしながら、本発明者等は、十分な浮力の確保や植物の生育に伴って筏がバランスを失って転覆する等の従来技術の問題点を解決するため、既に、日本国特許第３１９８２７４号により知られるように、近年家庭用等の燃料として多く用いられているＬＰＧガスの圧力容器であるＬＰＧガスボンベの容器を永年利用し、廃棄予定容器を再利用することで、安価に製造でき、耐久性にも優れ、さらには、その浮力を調整することが可能な植物栽培筏を提案している。
【０００４】
【発明が解決しようとする課題】
植物搭載用の筏を汚濁水面に浮かべて、水中の窒素や燐酸やカリを、その搭載植物を利用して吸収させると共に、植物を成長させ、その植物の収穫により社会的有用資源として活用することは、近年において強く望まれている循環型社会において、特に、その水系経路を形成することにより、水道等の水源の安全確保に役立つ有用な技術である。そして、本発明者は、上述した植物栽培筏の提案を行うと共に、実際に水面で実験を継続してその実態を詳細に観察すると同時に、それにより得られる水質を測定しており、そして、これらのことから判明した問題となる現象を克服するため、本発明を完成したものである。
【０００５】
すなわち、植物搭載筏にケナフを栽培し、その後、最盛期の１０月以降に収穫し、これを有用資源として活用するが、その場合、筏上の栽培床内に残存する幹部と筏上に残存する根部葉部との重量比率は、例えば、５５％：４５％にも達し、そして、その栽培を数年間に渡って継続すると、その栽培床に栄養分が蓄積されてしまう。そのため、搭載植物によって吸収される水中の富養分よりも、この筏に搭載した植物が蓄積した養分が水中に溶出する割合が大きくなる、所謂、逆転現象が観察された。
【０００６】
そこで、かかる問題点を解消するためには、筏上に搭載された栽培床を取り替える必要が生じることとなるが、その際、この養分が蓄積した栽培床を有機肥料として活用することが、有用資源の有効な活用の観点から強く望まれるところであるが、そのための、具体的な手段が必要となる。
【０００７】
すなわち、本発明は、上記の従来技術における問題点、更には、発明者による長年の実験の継続やその実態の詳細な観察に基づくものであり、より具体的には、養分が蓄積した場合にその取り替えが可能であり、かつ、蓄積した養分を田畑への有機肥料としても有効に活用することが可能な栽培床を備えた植物搭載用筏体を提供することを目的とするものである。また、その他の目的として、本発明では、その取り替え作業を容易に行うことが可能な栽培床を備えた植物搭載用筏体を提供することである。
【０００８】
【課題を解決するための手段】
かかる上記本発明の目的を達成するため、まず、水上に植物栽培用の栽培床を提供する植物搭載用筏体であって、水の表面に浮く浮体部と、当該浮体部に連結され、かつ、その周囲をネットで取り囲んでなる箱状構造体とからなり、当該ネットで取り囲んだ箱状構造体の内部に充填される栽培床として、低温度焼成の容分解性セラミックを用いた植物搭載用筏体が提供されている。すなわち、栽培床の充填物として低温焼成の容分解性セラミックを用いることで、植物搭載用筏の栽培床の蓄積養分を有機肥料として活用する場合、田畑に与える多礫の害をあらかじめ予防することが可能になる。
【０００９】
また、本発明によれば、前記に記載した植物搭載用筏体であって、前記箱状構造体の一部に着脱可能な連結部材を設け、前記浮体部から切り離せるようにした植物搭載用筏体が、更には、前記箱状構造体を当該浮体の底部に連結された肋骨状構造体上に載置されるようにした植物搭載用筏体が提供されており、これにより、栽培床を浮体部と切り離せる方式とし、栽培床の取り替えを容易にするものである。
【００１０】
【発明の実施の形態】
以下、本発明の実施の形態について、添付の図面を参照しながら説明する。
まず、図１には、本発明の一の実施の形態になる植物搭載用筏体が、例えば、湖沼やダムなど、富養成分を多く含む汚濁水面上に浮かべられた状態で示されており、また、図２には、この植物搭載用筏体の上面図が示されている。
【００１１】
これらの図からも明らかなように、本発明になる植物搭載用筏体は、浮力により水面上に浮く浮体１０…を、複数（本例では４本）、所定の形状に並べて浮体部を形成している。なお、この例では、浮体１０…を２本づつまとめて連結し、この連結体を２個、その間に所定の距離だけ離して、並列に並べたものであり、これにより、２つの並列に並んだ浮体部の間に、後に詳細に述べる箱状構造体を配置する構造としてものである。なお、この浮体部の構造としては、上記の例に限定されることなく、例えば、上記浮体１０…を、箱状構造体の周囲を取り囲むように配置することも可能である。
【００１２】
ここで、各浮体１０は、例えば、従来の発泡スチロールを利用するものであり、あるいは、ドラム缶などを利用して構成することも可能である。また、特に、本発明者等によって、既に、日本国特許第３１９８２７４号により提案したように、家庭用等の燃料としてのＬＰＧガスを封入して供給するための圧力容器であるＬＰＧガスの廃棄予定のボンベを利用することによれば、耐久性に優れ、水上でも安定し、かつ、その浮力を調整することが可能な浮体部を実現することが可能となることから、好適であろう。
【００１３】
さらに、上記の各浮体１０の外周には、これらの浮体を複数本づつまとめ、又は、後に詳述する箱状構造体と連結するために利用するための手段である、所謂、吊環１３が、適宜、取り付けられており、新しい栽培用セラミックの容易な取り替えを可能にする。
【００１４】
次に、上記の浮体１０…から形成された浮体部に連結されて水面上に保持される上記植物搭載用筏体の箱状構造体について、添付の図３（Ａ）〜（Ｃ）に示した正面、底面、及び側面図により説明する。これらの各図からも明らかなように、この箱状構造体２０は、例えば木材を組み付け、あるいは、鉄骨等を溶接等により、方形の箱枠状に組み立てて構成された枠体２１と、この枠体２１の底部や側面部を取り囲んで、すなわち、その上面だけを開放するように、細かなメッシュのネット２２をその周囲に張って構成され、もしくは、パンチングメタルシートで造られた箱体（ボックス（ｂｏｘ））で構成されている。図中の符号２３は、例えば、枠体２１の底部に、補強のために設けられた補強部材であり、あるいは、後に詳述する肋骨状構造体との連結具を兼ねてもよく、さらに、このような補強部材は、底部のみに限らず、必要に応じ、さらに側面部などに設けてもよい。
【００１５】
また、上記の図３（Ａ）や（Ｂ）にも示すように、この箱状構造体２０の上部には、複数（本例では４個）の吊環２４…が取り付けられている。すなわち、上記の箱状構造体２０は、これら吊環２４…を利用して、適当な数、上記の浮体部を構成する浮体１０…に連結される。なお、本実施例では、例えば、連結桿３０…を、上記浮体１０の吊環１３…及び上記箱状構造体２０の吊環２４に貫通することによって、これらを互いに連結することが可能となっている。また、このような連結構造によれば、上記の連結桿３０…を吊環１３及び２４から引き抜くことにより、上記の箱状構造体２０を浮体１０から、容易に、切り離すことが可能である。
【００１６】
さらに、添付の図４（Ａ）〜（Ｃ）及び図５には、上記の連結構造に代え、所謂、肋骨状構造体が示されており、この肋骨状構造体は、図からも明らかなように、浮体１０…の底部に連結された複数本（本例では、４本）の肋骨状部材５１…から構成されている。なお、この図において、符号５２は、上記肋骨状部材５１との間に浮体１０を挟んで固定するための上部板を示しており、これらは、結合部材である、例えば、ボルトとナット５５…を利用して固定されている。また、添付の図５は、上記図４（Ａ）におけるＶ−Ｖ断面図である。即ち、上記からも明らかなように、この肋骨状構造体を利用した植物搭載用筏体では、浮体の底部に連結された肋骨状構造体の上には、周囲にネットを張って構成した上記箱状構造体２０が載置されている。このように、浮体の底部に肋骨状構造体を設け、その上に箱状構造体２０を載置する構造を利用することによっても、上記の箱状構造体２０を、容易に、取り替えることが可能である。
【００１７】
そして、その周囲にネット２２が張られた上記箱状構造体２０の内部には、栽培床４０が充填され、この栽培床４０には、例えば、パピルスやケナフ等の植物を栽培し、これにより、水質の汚染に伴って富栄養化が進行している上水道の水源となる湖沼やダムの水から確実に窒素や燐を吸収し、もって、富栄養化に対する有効な対策とすることは前記と同様である。そして、本発明では、この植物の栽培床４０として、上記箱状構造体２０の周囲を構成するネット２２のメッシュを通り抜け出ない程度の大きさに焼成された、低温度焼成の容分解性セラミックが用いられている。
【００１８】
このように、箱状構造体２０内に充填される栽培床４０として、上記のような低温度焼成の容分解性セラミックを用いることによれば、以下のように効果がある。すなわち、上述したように、ケナフの栽培を数年間に渡って継続すると、その栽培床に栄養分が蓄積されてしまい、そのため、搭載植物によって吸収される水中の富養分よりも植物が蓄積した養分が水中に溶出する割合が大きくなる、所謂、逆転現象が生じる。しかしながら、その場合、この栽培床４０を取り替えて蓄積した養分を田畑への有機肥料としても有効に活用することが考えられるが、そのまま、従来の植物搭載用筏の栽培床を田畑に与えた場合、その中に多く含まれる焼成材等による多礫の害を生じてしまう。そこで、箱状構造体２０内に充填される栽培床４０として、低温度焼成の容分解性セラミックを用いることによれば、この栽培床４０を有機肥料として田畑に与えた場合にも、低温度焼成のセラミックは容易に凍結等で分解されることから、田畑に多礫の害を事前に予防されることとなる。
【００１９】
また、上記のように、養分を内部に蓄積した栽培床４０を取り替える場合、例えば、上記箱状構造体２０を連結した浮体１０…と共に、陸に近い浅瀬まで移動し、そこで、これらを貫通して連結している連結桿３０…を吊環１３及び２４から引き抜くことにより、上記の箱状構造体２０を浮体１０から、容易に、切り離すことができる。そのため、この箱状構造体２０を単位として、その内部の栽培床４０を、容易に、取り替えることが可能となる。もしくは、箱状構造体２０を浮体底部の肋骨状構造体より、例えば、吊環などを用いて上方に引き揚げることにより、容易に取り替えることができる。
【００２０】
なお、上記の実施の形態では、上記の箱状構造体２０と浮体１０…との間の連結手段として、吊環１３、２４と連結桿３０を使用する例を説明したが、本発明は、それのみに限定されることなく、その他、箱状構造体２０と浮体１０との間を着脱可能に連結できるものであれば良く、例えば、浮体底部の肋骨状構造体や、上記のチェーンやロープを利用することも考えられる。
【００２１】
【発明の効果】
以上の説明からも明らかなように、本発明になる植物搭載用筏体によれば、その上に搭載される栽培床で植物を栽培する結果として生じる、栽培床内での植物による養分の蓄積を、容易かつ確実に、有機肥料として田畑へ戻して有効に活用することを可能にし、もって、汚濁水面上での植物栽培による水質汚染の防止をより実現性のあるものにするという、社会的にも頁献し、かつ、技術的にも優れた効果を発揮する。
【図面の簡単な説明】
【図１】本発明の一実施の形態になる植物搭載用筏体が湖沼の水面上に浮いた状態で、その全体構成を示す全体斜視図である。
【図２】上記本発明になる植物搭載用筏体の上面図である。
【図３】上記植物搭載用筏体で使用される箱状構造体の詳細構造を示す上面、側面、及び底面図である。
【図４】本発明の他の実施形態になる、上記植物搭載用筏体で使用される肋骨状構造体の詳細構造を示す上面、側面、及び底面図である。
【図５】上記図４におけるＶ−Ｖ断面図である。
【符号の説明】
１０…浮体
１３…吊環
２０…箱状構造体
２１…枠体
２２…ネット
２４…吊環
３０…連結桿
４０…栽培床
５１…肋骨状部材
５２…上部板
５５…結合部材（ボルトとナット）
【図１】
2004016065.tif 000003
【図２】
2004016065.tif 000004
【図３】
2004016065.tif 000005
【図４】
2004016065.tif 000006
【図５】
2004016065.tif 000007